(57)【要約】【課題】簡易な構成で、従来のような加熱による悪影響を回避するとともに、放熱のための部品を付加する必要をなくして部品点数の増大を防止し、省スペース化を可能とする。【解決手段】光源手段を発熱量の比較的小さい点光源２０１ｉから構成するとともに、金属材等の良熱伝導部材からなる保持部材２０１ｃに対して前記複数の点光源２０１ｉを隣接するように配置し、それら複数の点光源２０１ｉが発光することにより発熱状態となったとしても、熱伝導率の良好な保持部材２０１ｃによって効率的に放熱を行い、さらにその金属材等の良熱伝導部材からなる保持部材を薄くするように構成したものである。【選択図】図６
2010016496.tif 000002
【特許請求の範囲】
【請求項１】
原稿読取用の照明光を射出して原稿の照射を行う光源手段と、原稿からの反射光を光電変換手段に結像させる光学系と、を備えた画像読取装置において、
前記光源手段が、所定の保持部材上にアレイ配列された複数の点光源を有するものであって、
前記保持部材は、少なくとも前記点光源に対面する部位が良熱伝導部材により形成されていることを特徴とする画像読取装置。
【請求項２】
前記光源手段が、一体型照明光学ユニットの内部に配置されたものであって、
前記一体型照明光学ユニットの内部には、前記光源手段から射出されて原稿表面で反射された光束の進行方向を変える反射手段と、その反射手段で反射された光束が前記光学系により結像される位置に配置された光電変換手段と、が配置されていることを特徴とする請求項１記載の画像読取装置。
【請求項３】
前記保持部材が、前記一体型照明光学ユニットのカバー部材により構成されていることを特徴とする請求項２記載の画像読取装置。
【請求項４】
前記保持部材は、前記光源手段の点光源に対して接触するように固定されていることを特徴とする請求項１記載の画像読取装置。
【請求項５】
前記保持部材は、前記光源手段の点光源に対して非接触となるように固定されていることを特徴とする請求項１記載の画像読取装置。
【請求項６】
前記点光源が、発光ダイオードにより構成されていることを特徴とする請求項１記載の画像読取装置。
【請求項７】
前記光学系が、結像レンズを含む構成になされていることを特徴とする請求項１記載の画像読取装置。
【請求項８】
前記光学系が、湾曲形成された反射面を有するミラーを含むことを特徴とする請求項１記載の画像読取装置。
【請求項９】
前記保持部材が、金属材により形成されていることを特徴とする請求項１記載の画像読取装置。
【請求項１０】
前記保持部材が、黒色表面を有していることを特徴とする請求項１記載の画像読取装置。
【請求項１１】
前記光源手段を直接または間接的に前記カバー部材に押圧する部材を備えたことを特徴とする請求項３記載の画像読取装置。
【請求項１２】
請求項１乃至請求項１１のいずれかに記載の画像読取装置を備えたことを特徴とする画像形成装置。
【発明の詳細な説明】
【技術分野】
【０００１】
本発明は、原稿を照射したときの反射光により原稿画像の読取を行うように構成された画像読取装置及びそれを備えた画像形成装置に関する。
【背景技術】
【０００２】
一般に、複写機、レーザービームプリンタ、ファクシミリ等の画像形成装置やその他の各種装置において、光源手段から射出された原稿読取用の照明光を原稿に照射し、その原稿からの反射光の進路を反射手段により適宜に変更しつつ光学系により集光して光電変換手段に結像させることにより画像の読取を行うように構成された画像読取装置が広く採用されている。
【０００３】
このような画像読取装置においては、光源手段が熱源となって装置に影響を与えるという問題がある。特に、いわゆる一体型照明光学ユニットにおいては、原稿表面で反射された光束の進行方向を変える反射手段や、原稿反射光を集光する縮小光学系、及びその縮小光学系を通した光束の結像作用により受光が行われる光電変換手段等が、熱源となる光源ととともにユニットの内部に一体的に配置されている。それらの反射手段、光学系及び光電変換手段の互いの距離は、略一定になされていることから、光源手段から発生する熱の影響を常に受けやすい構造となっている。
【０００４】
ところが、従来の画像読取装置においては、プラスティック製の筐体を用いていることが多いために装置全体の放熱作用が良好ではないことから、連続運転をした場合などのように光源手段の発光状態が継続した場合などにおいて、光源手段の発熱が過剰になってしまうことがある。特に、一体型照明光学ユニットの場合には、例えば原稿面の光束をミラーによって反射させる領域において放熱することができなくなることなどによって、筐体やミラーやレンズが昇温されてしまい、膨張、反り、位置ズレなどを起こして読取り画像に重大な影響を及ぼすことがある。
【０００５】
また、光源の温度が上昇し過ぎた場合には、例えば一体型照明光学ユニットを構成している光源近傍に配置された部品が局所的に膨張することなどで、装置全体や反射手段の一部にゆがみやねじれなどが発生することがあり、その場合においても、上述したと同様に読取り画像に重大な悪影響が生じることがある。
【０００６】
このような熱対策として従来から、光源を保持する部分のみを金属製にしたり、フィンを光源近傍に設けることも行われている。しかしながら、そのような従来の構成では、放熱作用を上げることはできるものの、部品点数が増大することによってコスト増になったり、装置全体が大型化してしまうという問題がある。
【０００７】
【特許文献１】特開２００８−１３１１２１号公報
【発明の開示】
【発明が解決しようとする課題】
【０００８】
本発明は、従来の上記課題を解決するものであり、その目的は、部品点数を増やすことなく省スペースで光源の放熱を効率的に行い、光源の発熱による読取り画像を良好に維持することができるようにした画像読取装置及びそれを備えた画像形成装置を提供することにある。
【課題を解決するための手段】
【０００９】
上記目的を達成するため本発明では、原稿読取用の照明光を射出して原稿の照射を行う光源手段と、原稿からの反射光を光電変換手段に結像させる光学系と、を備えた画像読取装置において、前記光源手段が、所定の保持部材上にアレイ配列された複数の点光源を有するものであって、前記保持部材は、少なくとも前記点光源に対面する部位が良熱伝導部材により形成された構成になされている。
【００１０】
このような構成を有する本発明によれば、光源手段が発熱量の比較的小さい点光源から構成されており、しかも金属材等の良熱伝導部材からなる保持部材に光源手段としての複数の点光源が常に接触するように配置されていることから、光源手段の発光により発熱状態となったとしても、熱伝導率の良い保持部材によって効率的に放熱がなされることとなり、従来のような加熱による悪影響が回避されるとともに、放熱のた めの部品を付加する必要がないことから部品点数が増大されることもない。さらに、その金属材等の良熱伝導部材からなる保持部材は、従来のようなプラスティック材からなるものに比して格段に薄なることから省スペース化が図られるようになっている。
【００１１】
また、本発明における光源手段が、一体型照明光学ユニットの内部に配置されたものであって、前記一体型照明光学ユニットの内部には、前記光源手段から射出されて原稿表面で反射された光束の進行方向を変える反射手段と、その反射手段で反射された光束が前記光学系により結像される位置に配置された光電変換手段とが配置された構成することが可能である。
【００１２】
このように本発明は、光源手段に加えて、反射手段や光電変換手段が内部に一体的に配置された一体型照明光学ユニットに対して好適に適用することができるものである。
【００１３】
また、本発明における保持部材が、前記一体型照明光学ユニットのカバー部材により構成された構成とすることが可能であり、このような構成を有する本発明によれば、複数の点光源からの発熱が良熱伝導部材からなるカバー部材を通して良好に放熱が行われることとなる。
【００１４】
また、本発明における保持部材は、前記光源手段の点光源に対して接触するように固定された構成になされることが可能であり、そのような構成を有する本発明によれば、点光源からの発熱が保持部材に対して直接的に伝導されることとなり、より効率的に放熱が行われるようになっている。
【００１５】
また、このときの本発明における保持部材は、前記光源手段の点光源に対して非接触となるように固定された構成になされることが可能である。
【００１６】
このように本発明は、点光源からの発熱が保持部材に非接触となっていることにより間接的に熱伝導が行われる場合であっても放熱作用を得ることが可能である。
【００１７】
また、このときの本発明における光学系が、結像レンズを含む構成になされている場合や、湾曲形成された反射面を有するミラーを含む場合、さらには保持部材が黒色表面を有している場合であっても好適に適用することができる。
【００１８】
特に、前記保持部材が金属材により形成されている場合には、保持部材における熱伝導が極めて良好に行われるようになっている。
【００１９】
また本発明では、前記光源手段を直接または間接的に前記カバー部材に押圧する部材を備えた構成とすることが可能であり、そのようにすれば、カバー部材が簡易かつ良好に固定される。
【００２０】
また本発明では、上述したいずれかに記載の画像読取装置を備えた画像形成装置とすることが可能であり、このような構成を有する本発明によれば、画像形成装置において同様な作用が得られる。
【発明の効果】
【００２１】
以上述べたように本発明にかかる画像読取装置及びそれを備えた画像形成装置は、光源手段を発熱量の比較的小さい点光源から構成しているとともに、金属材等の良熱伝導部材からなる保持部材に対して前記複数の点光源を隣接するように配置して、光源手段が発光することにより発熱状態となったとしても、熱伝導率の良好な保持部材によって効率的に放熱を行い、従来のような加熱による悪影響を回避するとともに、放熱のための部品を付加する必要をなくして部品点数の増大を防止し、さらにその金属材等の良熱伝導部材からなる保持部材を薄くして省スペース化を可能としたものであるから、簡易な構成で画像読取装置の信頼性を大幅に向上させることができる。
【発明を実施するための最良の形態】
【００２２】
以下、画像読取装置及びそれを備えた画像形成装置としての複写機に本発明を適用した実施形態を図面に基づいて詳細に説明する。
【００２３】
先ず、本発明を適用した複写機の全体構成は、図１に示されているように、画像形成装置本体Ａの各部に、スキャナ部Ｂ、画像形成部Ｃ及びシートデッキＤを備えたものとなっている。画像形成装置本体Ａの上部に配置されたスキャナ部Ｂは、ブック原稿の画像情報を読み取る画像読取装置を構成するものであるが、そのスキャナ部Ｂの下部側に画像形成手段となる画像形成部Ｃが配置され、さらにその画像形成部Ｃの下部側にシートデッキＤが組み付けられている。
【００２４】
前記スキャナ部（画像読取装置）Ｂは、本発明にかかる一体型照明光学ユニット２０１がプラテンガラス２０２の直下で往復移動されるように構成されており、前記プラテンガラス２０２上に、本や記録紙等からなるブック原稿又はシート状原稿などが原稿面を下向きにして載置された後に、画像形成装置本体Ａに対して開閉可能な原稿圧板２０３により背面を押圧して静止状態にセットが行われるようになっている。その状態でユーザが読取スタートキー（図示省略）を押すと、上述した一体型照明光学ユニット２０１がプラテンガラス２０２の下部を矢印ａ方向に移動して読取走査が行われて原稿面の画像情報が読み取られる。
【００２５】
上記一体型照明光学ユニット２０１により読み取られた原稿の画像情報は、画像処理部において処理され、電気信号に変換されてから画像形成部Ｃのレーザスキャナ１１１に伝送される。ここで、画像形成装置本体Ａは、画像形成部Ｃのレーザスキャナ１１１に画像処理部の処理信号を入力すれば複写機として機能し、外部装置（コンピュータ）の出力信号を入力すればプリンタとして機能する。また、画像形成装置本体Ａは、他のファクシミリ装置からの信号を受信したり、画像処理部の信号を他のファクシミリ装置に送信したりすれば、ファクシミリ装置としても機能する。
【００２６】
一方、上述した画像形成部Ｃの下部にはシートカセット１が装着されている。このシートカセット１は、下段カセット１ａと上段カセット１ｂの２個で１つの給送ユニットを構成しており、本実施形態では、２つの給送ユニットＵ１及びＵ２による計４個のカセットが装着可能になされている。そして、上方側に配置された１つの給送ユニットＵ１は、前記画像形成装置本体Ａに対して着脱可能に取り付けられ、下方側の給送ユニットＵ２は、シートデッキＤに対して着脱可能に取り付けられている。
【００２７】
このような下段カセット１ａ及び上段カセット１ｂの内部に収容されたシート状記録媒体（用紙）は、給送回転体となるピックアップローラ３により繰り出され、フィードローラ４とリタードローラ５との協動作用により１枚ずつ分離・給送された後、搬送ローラ１０４、１０５によってレジストローラ１０６まで搬送され、該レジストローラ１０６によって後述する画像形成動作に同期するようにして画像形成部Ｃへと給送される。また、前述したシートカセット１とは別に、手差しトレイ６が画像形成装置本体Ａの側面に配置されており、手差しトレイ６上のシートは手差し給紙ローラ７により、レジストローラ１０６へと繰り出される。
【００２８】
また、前記画像形成部Ｃは、電子写真感光ドラム１１２、画像書き込み光学系１１３、帯電ローラ１１６、現像器１１４及び転写帯電器１１５等を備えた構成になされている。そして、帯電ローラ１１６により一様に帯電された感光体ドラム１１２の表面に、レーザスキャナ１１１から射出された画像情報に対応するレーザ光が画像書き込み光学系１１３により走査されて静電潜像が形成され、その静電潜像が現像器１１４により現像されることによりトナー像が形成される。その感光体ドラム１１２上のトナー像は、当該感光体ドラム１１２の回転に同期して上記レジストローラ１０６から送り出されたシート状記録媒体（用紙）の第１面に、転写帯電器１１５が配置された転写部で転写されるようになっている。。
【００２９】
ここで、図中の符号１１７は、上述したようにしてトナー像を形成されたシート状記録媒体を搬送する搬送部を示し、また符号１１８及び１１９は、定着装置及び排出ローラをそれぞれ示している。上記搬送部１１７は、トナー像を形成された被加熱材としてのシート状記録媒体（記録用紙）を搬送可能とする構成になされていて、トナー像を形成されたシート状記録媒体は、上記搬送部１１７により定着装置１１８に搬送され、そこで加熱及び加圧が行われることによってトナー像が表面に定着された後、排出ローラ１１９によって機外の排紙トレイ１２０に向かって排出され積載される構成になされている。
【００３０】
また、シート状記録媒体（記録用紙）の両面に画像を記録する場合には、定着装置１１８から排出されたシート状記録媒体が排出ローラ１１９に挟持されて当該シート状記録媒体の後端が分岐点２０７を通過した時点で上記排出ローラ１１９が逆転方向に回転駆動される。それにより上記シート状記録媒体は両面トレイ１２１上に一旦載置され、その後に搬送ローラ１０４、１０５により搬送されてレジストローラ１０６に到達し、その反転されたシート状記録媒体の第２面に上述と同様にして画像が形成された後、排紙トレイ１２０に排出・積載される構成になされている。
【００３１】
［スキャナ部（画像読取装置）Ｂについて］
ここで、本発明の要部であるスキャナ部（画像読取装置）Ｂの構成について説明する。スキャナ部Ｂは、特に図２に示されているような平面略矩形状の枠体を有しているとともに、その枠体における副走査方向両端部分に配置された両側枠Ｂ１，Ｂ１どうしの間に、丸棒状をなす一対のメイン走査用支軸Ｂ２及びサブ走査用支軸Ｂ２’が、副走査方向に掛け渡すようにして略平行状態で取り付けられている。一方のメイン走査用支軸Ｂ２には、前述した一体型照明光学ユニット２０１を構成している筐体シャーシ２０１ａの底面部に設けられた摺動軸受２０１ｂが摺動自在に装着されているとともに、他方のサブ走査用支軸Ｂ２’には、前記筐体シャーシ２０１ａの底面部が摺動自在に載置されている。
【００３２】
このように、後述する原稿読取用の照明光を射出する光源手段を内部に備えた筐体シャーシ２０１ａが、当該筐体シャーシ２０１ａに設けられた摺動軸受２０１ｂを介して、副走査方向に延在するメイン走査用支軸Ｂ２に往復移動可能に取り付けられており、それによって上記一体型照明光学ユニット２０１の全体が、前記プラテンガラス２０２の下方側において副走査方向に往復移動される構成になされている。
【００３３】
一方、前記移動支持軸Ｂ２の近傍に沿って延在するようにして無端環状ベルトＢ３が張設されており、その無端環状ベルトＢ３の途中部分に上述した一体型照明光学ユニット２０１の筐体シャーシ２０１ａが固定されている。上記無端環状駆動ベルトＢ３は、プーリＢ４を介してモータＢ５の出力軸に掛け回されており、前記モータＢ５の回転駆動力により上記無端環状駆動ベルトＢ３が循環されるようにして移動される構成になされている。そして、その無端環状駆動ベルトＢ３の循環移動によって前記一体型照明光学ユニット２０１が前記移動支持軸Ｂ２に沿って往復移動され、そのときに前記プラテンガラス２０２上の原稿面に対する読取が行われる構成になされている。
【００３４】
前記一体型照明光学ユニット２０１を構成している筐体シャーシ２０１ａは、図３及び図４にも示されているように、副走査方向に直交する主走査方向である原稿幅方向（図１の紙面垂直方向）に沿って細長状に延在している。この筐体シャーシ２０１ａは、上部に開口部を備えた中空箱状をなすように形成されたものであって、当該筐体シャーシ２０１ａの上部開口部を覆うようにして保持部材としてのカバー部材２０１ｃが取り付けられている。
【００３５】
その保持部材としてのカバー部材２０１ｃは、金属材やセラミック材等の良熱伝導体からなる板状部材により形成されたものであって、後述する反射手段としてのミラー２０１ｍ，２０１ｎ，２０１ｐ，２０１ｑ，２０１ｒ（図４参照）による反射領域の上部に配置されており、前記各ミラーによる反射領域に加えて、後述する結像光学系及びＣＣＤセンサ（光電変換手段）２０１ｓに対して、前記原稿面からの反射光束以外の外部光を侵入させないように前記シャーシ２０１ｂの上部全体をほぼ覆うように配置されている。このように本実施形態における保持部材は、一体型照明光学ユニットの内部に侵入する外部光を遮蔽するカバー部材２０１ｃにより構成されている。
【００３６】
また、前記カバー部材（保持部材）２０１ｃには、特に図５及び図６に示されているように、段差状に窪む一対の光源取付面２０１ｈ，２０１ｈが、主走査方向である原稿幅方向（図１の紙面垂直方向）に延在するように形成されている。これら一対の光源取付面２０１ｈ，２０１ｈは、副走査方向において互いに対面するように形成されており、それら光源取付部２０１ｈ，２０１ｈの段差を構成している立上り壁面に対して、照明光を射出する光源手段を構成する多数の点光源からなるＬＥＤアレイ２０１ｉ，２０１ｉが取り付けられている。それらのＬＥＤアレイ２０１ｉ，２０１ｉは、点光源である微小発光ダイオードが主走査方向に沿ってアレイ配列された構成からなるものであり、それらの各ＬＥＤアレイ２０１ｉ，２０１ｉに設けられた発光面２０１ｊ，２０１ｊが、副走査方向において互いに対向し合う配置関係になされている。このように本実施形態においては、光源手段が、カバー部材２０１ｃからなる所定の保持部材上にアレイ配列された複数の点光源であるＬＥＤアレイ２０１ｉ，２０１ｉを有しているとともに、その保持部材としてのカバー部材２０１ｃは、少なくとも前記各点光源である発光ダイオードに対面する部位が良熱伝導部材により形成されている。
【００３７】
さらに、前記各ＬＥＤアレイ２０１ｉ，２０１ｉの発光面２０１ｊ，２０１ｊには、当該光源手段としてのＬＥＤアレイ２０１ｉ，２０１ｉから射出される照明光が入射される導光手段を構成する導光体２０１ｋ，２０１ｋが隣接するように配置されている。これらの導光手段としての導光体２０１ｋ，２０１ｋは、光源手段から入射する照明光を所定方向に出射させて原稿の照射を行うものであって、主走査方向である原稿幅方向に沿って延在する細長状の透明体から形成されており、前記各ＬＥＤアレイ２０１ｉ，２０１ｉの発光面２０１ｊ，２０１ｊを前面側から覆うように配置されている。これによって、前記各ＬＥＤアレイ２０１ｉの各点光源から射出された照明光は、前記プラテンガラス２０２上の原稿の表面に向かって出射されるようになっている。なお、図５においては導光体の記載を省略している。
【００３８】
このとき、上述した一対の導光体２０１ｋ，２０１ｋは、上述したＬＥＤアレイ２０１ｉ，２０１ｉを構成している点光源に対して接触するように配置されている。すなわち、上記一対の導光体２０１ｋ，２０１ｋどうしの間には、特に図７に示されているような押圧部材２０１ｌ，２０１ｌが、当該ＬＥＤアレイ２０１ｉの延在方向の両端部分において外方側から嵌め込まれるようにして装着されている。これらの各押圧部材２０１ｌの主走査方向における幅寸法は、前記導光体２０１ｋ，２０１ｋどうしの間隔よりも僅かに大きくなるように設定されており、そのようなやや幅広をなすように形成された押圧部材２０１ｌが、前記両導光体２０１ｋ，２０１ｋどうしの間に圧入状態で挿入されることによって、前記両導光体２０１ｋ，２０１ｋが前記ＬＥＤアレイ２０１ｉ，２０１ｉの発光面２０１ｊ，２０１ｊに対して押し付けられるようにして接触される。また、それらのＬＥＤアレイ２０１ｉ，２０１ｉが、前記カバー部材（保持部材）２０１ｃの光源取付面２０１ｈ，２０１ｈに対して積極的に接触させられた状態で固定されるようになっている。
【００３９】
そして、このような各ＬＥＤアレイ２０１ｉから導光体２０１ｋを通して射出された照明光の光束は、前記カバー部材（保持部材）２０１ｃの上方部分に配置されたプラテンガラス２０２上の原稿面に照射され、その原稿表面で反射された光束は、前記筐体シャーシ２０１ａの内壁面側に取り付けられた反射手段としてのミラー２０１ｍ，２０１ｎ，２０１ｐ，２０１ｑ，２０１ｒによって反射させらて進行方向を変えられ、その後に、前記原稿からの反射光を光電変換手段に結像させる光学系、すなわち、図示を省略した結像レンズ等からなる光学系によって、結像される位置に配置された光電変換手段であるＣＣＤセンサ２０１ｓに適宜の倍率で原稿画像が結像されて受光が行われ、原稿画像の読取が完了されるようになっている。
【００４０】
このとき、上述したように前記導光体２０１ｋの光学的機能によって照明の方向が制御されていることから、前記カバー部材２０１ｃを構成している板金の形成精度が低下していることなどにより、例えば当該導光体２０１ｋとＬＥＤアレイ２０１ｉとの間に多少の隙間が空いてしまったような場合であっても、その導光体２０１ｋの光学的機能により読取光量が大幅に低下するような事態を生じることはない。
【００４１】
このように本実施形態においては、光源手段が発熱量の比較的小さい点光源としてのＬＥＤアレイ２０１ｉから構成されているとともに、金属材等の良熱伝導部材からなる保持部材としてのカバー部材２０１ｃの光源取付部２０１ｈ，２０１ｈに対してＬＥＤアレイ２０１ｉ，２０１ｉが常に接触するように配置されているため、前記ＬＥＤアレイ２０１ｉ，２０１ｉが発光して発熱状態となったとしても、熱伝導率の良好なカバー部材２０１ｃによって効率的に放熱がなされることとなる。その結果、従来のような加熱による悪影響が回避されるとともに、部品を付加する必要がなくなるために部品点数が増大されることもない。さらに、その金属材等の良熱伝導部材からなるカバー部材２０１ｃは、従来のようなプラスティック材からなるものに比して格段に薄くなって省スペース化が図られることとなる。
【００４２】
特に、本実施形態における保持部材を構成しているカバー部材２０１ｃは、光源手段としてのＬＥＤアレイ２０１ｉに対して接触するように固定された構成になされていることから、光源手段からの発熱がカバー部材（保持部材）２０１ｃに対して直接的に伝導されることとなり、より効率的に放熱が行われるようになっている。
【００４３】
このような本発明にかかる放熱作用は、原稿からの反射光を光電変換手段に結像させる縮小光学系が、上述した実施形態のように結像レンズを含む構成になされている場合に限らず、湾曲形成された反射面を有するミラーを含む場合であっても好適に適用することができる。また、保持部材としてのカバー部材２０１ｃが黒色表面を有している場合であっても同様に適用することができる。
【００４４】
以上、本発明者によってなされた発明の実施形態を具体的に説明したが、本発明は上記実施形態に限定されるものではなく、その要旨を逸脱しない範囲で種々変形可能であることはいうまでもない。
【００４５】
例えば、上述した実施形態においては光源手段を構成している点光源としてＬＥＤアレイを採用しているが、冷陰極管やキセノン管を使った光源手段や、導光体の側面からＬＥＤを照射する方式の光源手段等のような種々の光源手段が採用可能である。
【００４６】
また、上述した実施形態では、保持部材としてのカバー部材が、光源手段の点光源に対して接触しているが、非接触となるように固定された構成を採用することも可能であり、点光源からの発熱が保持部材に対して間接的に伝導される場合であっても放熱作用を得ることができる。このように本発明では、光源手段を直接または間接的にカバー部材に押圧する部材を備えた構成とすることが可能であり、そのようにすればカバー部材が簡易かつ良好に固定される。
【００４７】
さらに、上述した実施形態では、保持部材としてカバー部材を採用しているが、その他の部材であっても良い。さらにまた、上述した各実施形態は、走査時に往復移動するように構成された画像読取装置に対して本発明を適用したものであるが、固定状態で読取が行われる画像形成装置に対しても本発明は同様に適用することができる。
【００４８】
加えて上述した実施形態は、複写機に対して本発明を適用したものであるが、プリンタ等の画像形成装置、あるいはその他の装置に対しても本発明は同様に適用することができる。
【産業上の利用可能性】
【００４９】
以上述べたように本発明にかかる原稿読取装置及びそれを備えた画像形成装置は、プリンタや複写機などの多種多様な画像形成装置やその他の装置に対して広く適用することが可能である。
【図面の簡単な説明】
【００５０】
【図１】本発明を適用する画像形成装置の一例としての複写機の全体構成の概略を表した縦断面説明図である。
【図２】図１に表された複写機に用いられている画像読取装置からカバーを取り外した状態の全体構造を表した外観斜視説明図である。
【図３】図２に表された画像読取装置に用いられている一体型照明光学ユニットの外観斜視説明図である。
【図４】図２及び図３に表された一体型照明光学ユニットの内部構造を表した横断面説明図である。
【図５】図２乃至図４に表された一体型照明光学ユニットの上面部分の一部を拡大して表した外観斜視説明図である。
【図６】図２乃至図５に表された一体型照明光学ユニットの上面部分の一部を拡大して表した横断面説明図である。
【図７】図２乃至図４に表された一体型照明光学ユニットの上面部分の一部を拡大して表した外観斜視説明図である。
【符号の説明】
【００５１】
Ａ        画像形成装置本体
Ｂ        スキャナ部（画像読取装置）
Ｂ１      両側枠
Ｂ２      移動支持軸
Ｂ３      無端環状ベルト
Ｂ４      プーリ
Ｂ５      モータ
Ｃ        画像形成部
Ｄ        シート状記録媒体デッキ
Ｒ        画像転写部
Ｎ        定着ニップ部
１１２    感光ドラム
１１５    転写ローラ
１１８    定着装置
２０１    一体型照明光学ユニット
２０１ａ  筐体シャーシ
２０１ｂ  摺動軸受
２０１ｃ  カバー部材（保持部材）
２０１ｈ  光源取付面
２０１ｉ  ＬＥＤアレイ（点光源）
２０１ｊ  発光面
２０１ｋ  導光体
２０１ｌ  押圧部材
２０１ｍ，２０１ｎ，２０１ｐ，２０１ｑ，２０１ｒ  ミラー
２０１ｓ  ＣＣＤセンサ（光電変換手段）
２０２    プラテンガラス
【図１】
2010016496.tif 000003
【図２】
2010016496.tif 000004
【図３】
2010016496.tif 000005
【図４】
2010016496.tif 000006
【図５】
2010016496.tif 000007
【図６】
2010016496.tif 000008
【図７】
2010016496.tif 000009